(57)【要約】【課題】  ブロックカーソルで操作可能なメインウィンドウの中に、フリーカーソルで操作可能なサブウィンドウが存在する場合に、操作対象ウィンドウの移行を、方向キーの操作により行うことを可能とする。【解決手段】  メインウィンドウの操作中にサブウィンドウがフォーカスされている状態で、一定時間の経過を検出することにより、サブウィンドウの操作に移行する。また、サブウィンドウの操作中にフリーカーソル（ポインタ）がサブウィンドウの境界部分にある状態で、サブウィンドウの外方向へのキー操作、サブウィンドウの外方向への一定時間のキー押下、一定時間の経過、の何れかを検出することにより、メインウィンドウの操作に移行する。【選択図】図１
2005242731.tif 000002
【特許請求の範囲】
【請求項１】
複数の選択対象が表示される第１の領域内に第２の領域が表示される表示方法において、
ユーザーの操作により前記第１の領域において表示された複数の選択対象から前記第２の領域を選択するステップと、
前記第２の領域が選択された状態において所定時間の経過を検出するステップと、
前記所定時間の経過が検出されたときに前記第２の領域内においてユーザーの操作により移動可能なポインタを表示するステップと、
を備えることを特徴とする表示方法。
【請求項２】
ブロックカーソルで操作可能なメインウィンドウの中に、フリーカーソルで操作可能なサブウィンドウを表示する表示方法において、
メインウィンドウのブロックカーソルの操作においてユーザーの指示によりサブウィンドウをフォーカスさせるステップと、
前記サブウィンドウがフォーカスされている状態で所定時間の経過を検出するステップと、
前記所定時間が検出されたときにメインウィンドウのブロックカーソルの操作をサブウィンドウのフリーカーソルの操作に移行するステップと、
を備えることを特徴とする表示方法。
【請求項３】
ブロックカーソルで操作可能なメインウィンドウの中に、フリーカーソルで操作可能なサブウィンドウを表示する表示方法において、
サブウィンドウの操作中においてフリーカーソルがサブウィンドウの境界部分に存在することを検出するステップと、
ユーザーの指示によるサブウィンドウの外方向へのキー操作を検出したときにサブウィンドウのフリーカーソルの操作からメインウィンドウのブロックカーソルの操作に移行するステップと、
を備えることを特徴とする表示方法。
【請求項４】
ブロックカーソルで操作可能なメインウィンドウの中に、フリーカーソルで操作可能なサブウィンドウを表示する表示方法において、
サブウィンドウの操作中においてフリーカーソルがサブウィンドウの境界部分に存在することを検出するステップと、
ユーザーの指示によるサブウィンドウの外方向へのキー操作が所定時間連続してなされていることを検出したときにサブウィンドウのフリーカーソルの操作からメインウィンドウのブロックカーソルの操作に移行するステップと、
を備えることを特徴とする表示方法。
【請求項５】
ブロックカーソルで操作可能なメインウィンドウの中に、フリーカーソルで操作可能なサブウィンドウを表示する表示方法において、
サブウィンドウの操作中においてフリーカーソルがサブウィンドウの境界部分に存在することを検出するステップと、
前記検出された状態で所定時間の経過を検出したときにサブウィンドウのフリーカーソルの操作からメインウィンドウのブロックカーソルの操作に移行するステップと、
を備えることを特徴とする表示方法。
【請求項６】
リモートコントローラの方向キーでブロックカーソルを操作可能なメインウィンドウの中に、フリーカーソルの操作が可能なサブウィンドウを表示する表示装置において、
メインウィンドウ内のブロックカーソルの操作中に、前記サブウィンドウがフォーカスされた状態で所定の時間が経過したことを検出する時間検出手段と、
前記時間検出手段にて前記所定の時間の経過が検出されたとき、メインウィンドウ内のブロックカーソルの表示操作からサブウィンドウ内のフリーカーソルの表示操作に移行するように制御する表示制御手段と、
を備えることを特徴とする表示装置。
【請求項７】
リモートコントローラの方向キーでブロックカーソルを操作可能なメインウィンドウの中に、フリーカーソルの操作が必要なサブウィンドウを表示する表示装置において、
サブウィンドウ内のフリーカーソルの操作中に、フリーカーソルがサブウィンドウの境界部分にある状態を検出する境界検出手段と、
所定の時間が経過したことを検出する時間検出手段を備え、
前記時間検出手段が、前記境界検出手段にて検出された状態が前記所定の時間の継続したことを検出したとき、サブウィンドウ内のフリーカーソル表示操作からメインウィンドウ内のブロックカーソル表示操作に移行するように制御する表示制御手段とを備えることを特徴とする表示装置。
【発明の詳細な説明】
【技術分野】
【０００１】
本発明は、ユーザーの表示画面上における操作性に関する表示方法および表示装置に関するものである。
【背景技術】
【０００２】
キー操作によりウィンドウ内に設けられたアプリケーションソフトを操作するためのボタンや文字列やアイコン（以下、これらを総称して「オブジェクト」と称する）を選択する方式には、大きくブロックカーソル方式と、フリーカーソル方式との２種類がある。
【０００３】
近年、パーソナルコンピュータのマルチメディア対応により、パーソナルコンピュータがテレビジョン受像機の機能を持つ事が大きな流れとなる一方、テレビジョン受像機もデジタル放送への遷移の過程でインターネット対応機能を持つ事が大きな流れとなりつつある。しかし、これら２つの装置は産業用途と娯楽用途とで発展してきたため、パーソナルコンピュータとテレビジョン受像機との融合に伴い、例えばインターネット対応のテレビジョン受像機では、上記２つの操作方式が混在している。
【０００４】
上記２つの操作方式が混在する場合の表示操作制御については、例えば、特許文献１で開示されている。
【０００５】
【特許文献１】特開２０００−８９８９２号公報
【発明の開示】
【発明が解決しようとする課題】
【０００６】
ブロックカーソル方式は、たとえば、テレビジョン受像機のリモコンの操作に代表されるＧＵＩ（Graphical  User  Interface）の表示制御方式で、ウィンドウ内に設けられた複数のオブジェクトの一つを選ぶ際、例えばカーソルを動かす上キー，下キー，左キーや右キー（以下、これらを総称して「方向キー」と呼ぶ）の操作により、例えば枠形状のブロックカーソルがオブジェクト間を予め定められた例えば上下左右の４方向に移動するものである。このブロックカーソル方式においては、ウィンドウ内の選択対象オブジェクトは、例えばその領域内を囲む太枠形状、あるいは色を変えて表示（通常「ハイライト」という）された領域で示されるブロックカーソルで強調表示（以下、この強調表示を「フォーカス」と記す）される。そして、例えば決定キー操作の選択動作により、その選択対象オブジェクトの選択が決定され、オブジェクトに関連づけられた動作が実行される。
【０００７】
フリーカーソル方式は、たとえば、パーソナルコンピュータのマウスの操作に代表されるＧＵＩの表示制御方式で、カーソルはウィンドウ内を任意の方向に連続的に移動するものである。この意味で、カーソルを通常フリーカーソルという。このフリーカーソル方式においては、ウィンドウ内にフリーカーソル（以下、「ポインタ」と記す）が表示される。ポインタはマウス操作により移動し、オブジェクトのある領域に移動するとその形状が変化するので、例えば決定キー操作の選択動作により、ポインタの座標に対応するオブジェクトの選択が決定され、該オブジェクトに関連づけられた動作が実行される。
【０００８】
上記したように、例えばインターネット対応のテレビジョン受像機では、上記２つの操作方式が混在している。従って、従来、ブロックカーソルで操作可能なメインウィンドウの中に、フリーカーソルで操作可能なサブウィンドウが存在する場合には、操作体系が異なる為、例えば上記特許文献１で開示されているように、操作体系の異なる領域において、メインウィンドウとサブウィンドウの間でアクティブウィンドウの切り換え制御が必要となる。このアクティブウィンドウの切り換え制御に伴い、下記に述べる不都合が生じる。
【０００９】
図８のように、メインウィンドウ１１０の中に、フォーカス可能な文字列のオブジェクト１３０，１６０およびサブウィンドウ１２０とがある場合、図示しない方向キーで選択対象オブジェクトをオブジェクト１３０からオブジェクト１６０に移すことを考える。今、オブジェクト１３０がフォーカス１４０でフォーカスされて選択対象である時（即ち、ブロックカーソルの位置がオブジェクト１３０にある時）、図紙面下方向にフォーカス位置を方向キー操作で移動させると、フリーカーソルである例えば矢印のポインタ（図示せず）がサブウィンドウ１２０の上側境界部に表示され、サブウィンドウ１２０がアクティブになる。このポインタをサブウィンドウ１２０の領域内で下側境界まで方向キーにより横断移動させると、カーソルがポインタからブロックカーソルに切り換わって、メインウィンドウ１１０がアクティブとなり、カーソルがサブウィンドウ１２０からオブジェクト１６０に移動し、つまりオブジェクト１６０がフォーカスされて、オブジェクト１６０が選択対象となる。
【００１０】
このように、上記特許文献１の技術では、選択対象オブジェクトをオブジェクト１３０からオブジェクト１６０に移す場合、ブロックカーソルの移動経路の途中にサブウィンドウがあると、一旦サブウィンドウをアクティブにして、カーソルをフリーカーソルであるポインタに切り換えて、このサブウィンドウ領域内でポインタを所望方向の境界位置まで横断させる必要があり、時間がかかる。
【００１１】
また、上記特許文献１の技術とは異なる下記制御技術も現在適用されている。
【００１２】
即ち、メインウィンドウからサブウィンドウへのアクティブウィンドウの移行は、メインウィンドウの操作中にサブウィンドウがフォーカスされ、サブウィンドウがフォーカスされている状態で、例えば決定キー操作による選択動作により行われ、サブウィンドウがアクティブとなる。そして、この決定キーの操作後、フリーカーソルであるポインタが表示される。
【００１３】
また、サブウィンドウからメインウィンドウへのアクティブウィンドウの移行は、サブウィンドウの操作中に例えば戻るキー操作による選択解除動作により行われ、メインウィンドウがアクティブとなる。
【００１４】
図８で説明すると、本例では上記特許文献１とは異なり、フォーカス移動ではサブウィンドウ１２０はアクティブにならないので、方向キー操作で、オブジェクト１３０→サブウィンドウ１２０→オブジェクト１６０と、スムーズに選択対象を変えることがでる。
【００１５】
しかし、メインウィンドウとサブウィンドウ間でのアクティブウィンドウの移行には、フォーカスやポインタを移動させるための方向キーとは別のキー操作が必要であり、利用者にとってわかり難く、利用者の操作を複雑にすると言う不都合がある。
【００１６】
本発明は、上記事情に鑑みてなされたもので、その目的は、操作体系の異なるメインウィンドウとサブウィンドウ間でのアクティブウィンドウの移行を、操作を複雑にすることなく手短に行える表示制御方式および表示装置を提供することにある。
【課題を解決するための手段】
【００１７】
上記の目的を達成するために、本発明の表示制御方式においては、メインウィンドウの操作中にサブウィンドウがフォーカスされている状態で、一定時間の経過を検出することにより、サブウィンドウの操作に移行することを特徴とする。また、サブウィンドウの操作中にポインタがサブウィンドウの境界部分にある状態で、サブウィンドウの外方向へのキー操作、サブウィンドウの外方向への一定時間のキー押下、一定時間の経過、の何れかを検出することにより、メインウィンドウの操作に移行することを特徴とする。
【００１８】
また、上記の目的を達成するために、本発明の表示装置においては、メインウィンドウ内のブロックカーソルの操作中に、前記サブウィンドウにフォーカスされた状態であらかじめ定められた時間が経過したことを検出する時間検出手段を備え、前記時間検出手段の出力に応じてメインウィンドウ内のブロックカーソルの表示操作からサブウィンドウ内のフリーカーソルの表示操作に移行する第１の表示制御手段を有する事を特徴とする。また、サブウィンドウ内のフリーカーソルの操作中に、フリーカーソルがサブウィンドウの境界部分にある状態を検出する境界検出手段と、あらかじめ定められた時間が経過したことを検出する時間検出手段を備え、前記境界検出手段の出力と前記時間検出手段の出力に応じてサブウィンドウ内のフリーカーソル表示操作からメインウィンドウ内のブロックカーソル表示操作に移行する第２の表示制御手段を有する事を特徴とする。
【００１９】
使用者はメインウィンドウとサブウィンドウ間のアクティブウィンドウの移行を、方向キーの操作のみで行うことが可能となるため、複雑な切り換え操作が不要となり、アクティブウィンドウを意識する必要も無くなる。
【発明の効果】
【００２０】
本発明により、ユーザにとって使い勝手の良い表示方法を提供することができる。
【発明を実施するための最良の形態】
【００２１】
以下、本発明の実施の形態を、図面を参照して説明する。なお、各図において、共通な機能を有する要素に同一符号を付して示し、一度説明したものについては、煩雑さを避けるために、その繰り返した説明を省略する。
【００２２】
図７は本発明による実施の形態を示すＧＵＩ処理機能を有する表示装置の一ブロック構成図である。
【００２３】
図７において、７１は例えばカーソルを移動させる方向キー７１ａ（上キー，下キー，右キーおよび左キーからなる）や決定キー７１ｂ等の操作で対応したリモートコントロール信号（以下、「リモコン信号」と省略する）を例えば赤外線で送信するリモートコントロールユニット（以下、「リモコン」と省略する）、７２はリモコン信号を受信して電気信号にデコードするレシーバ、７３は表示装置全体の制御を行う中央演算制御ユニット（以下、「ＣＰＵ」と記す）、７５はＣＰＵ７３が実行するプログラムやプログラムが実行される際の情報を格納する例えばフラッシュメモリで構成されたメモリである。メモリ７５にはプログラム以外に、例えば、オブジェクト情報、オブジェクト情報にそれぞれ関連付けられたアプリケーションソフト、オブジェクト情報を表示画面のウィンドウ中に表示する際の位置情報（オブジェクトの大きさ，座標）、メインウィンドウの大きさ及び座標、サブウィンドウの大きさ及び座標、アクティブウィンドウ、メインウィンドウのフォーカス位置、サブウィンドウのポインタの座標等が格納される。７７はディスプレイ、７６はＧＵＩ処理機能を有する表示回路で、ＴＶ映像をディスプレイ７７上に表示させると伴に、メモリ７５に格納された種々の情報例えばオブジェクト情報やその位置情報に基づいて、ＣＰＵ７３で制御されて、ディスプレイ７７の表示画面のウィンドウ中にオブジェクト情報を表示させる。なお、７４はＣＰＵ７３に内蔵される時間を計測するタイマー（時間検出手段）である。ここでは、タイマー７４はＣＰＵに内蔵されるものとするが、これに限定されるものではなく、外部にあってもよい。
【００２４】
次に、図７の動作について述べる。リモコン７１から送信されたリモコン信号はレシーバ７２により受信されデコードされて、ＣＰＵ７３に伝達される。ＣＰＵ７３は、リモコン７１からの操作情報に基づき、メモリ７５のプログラムに従って、表示回路７６のＧＵＩ処理機能を介してディスプレイ７７に表示された表示画面のグラフィック画像（例えばオブジェクト，フォーカス，ポインタ等）の表示制御や、後述するメインウィンドウとサブウィンドウ間でなされるアクティブウィンドウの移行表示制御を行う。
【００２５】
例えば、リモコン７１の方向キー７１ａの操作があれば、ＣＰＵ７３は、操作された方向キー７１ａの方向に対応させて、メインウィンドウのフォーカス位置またはサブウィンドウのポインタの座標を更新し、カーソル（即ち、フォーカスあるいはポインタ）を移動させ、カーソルのある位置にオブジェクトがあれば、決定キー操作でオブジェクトに関連付けられた動作の処理を行う。また、カーソル移動にともない、後述するメインウィンドウとサブウィンドウ間でアクティブウィンドウの移行処理を行う。
【００２６】
以下、表示回路７６のＧＵＩ処理機能を用いてディスプレイ７７上に表示された表示画面内のメインウィンドウとサブウィンドウとの間のアクティブウィンドウの移行処理時におけるＧＵＩの表示制御方式の実施例について述べる。
【実施例１】
【００２７】
図１は本発明によるメインウィンドウからサブウィンドウへのアクティブウィンドウの移行を示した表示制御方式の第１の一実施例である。
【００２８】
図１において、１１はメインウィンドウ、１２はサブウィンドウ、１３はオブジェクトを示す文字列、１４はフォーカス、１５はポインタである。
【００２９】
ここで、サブウィンドウ１２、文字列１３は、メインウィンドウ内のフォーカス可能なオブジェクトであり、方向キー７１ａ操作によるフォーカス移動に応じて、フォーカスされたオブジェクトをフォーカス１４により示している。また、ポインタ１５はアクティブウィンドウがサブウィンドウに移行した後に表示され、キー操作によりサブウィンドウ内を移動する。
【００３０】
最初は図1（ａ）のように、メインウィンドウ１１が例えばカーソル移動操作等が可能なアクティブウィンドウであり、文字列１３がフォーカスされている。
【００３１】
このとき方向キー７１ａの内の下キー押下により、図1（ｂ）のように、フォーカス１４がサブウィンドウ１２に移動する。この状態で一定時間が経過すると、ポインタ１５が表示され、アクティブウィンドウがメインウィンドウ１１からサブウィンドウ１２に移行する。これ以降、サブウィンドウ１２内でのポインタ１５の移動が方向キー７１ａで可能となる。
【００３２】
図２は本実施例において、サブウィンドウがフォーカスされている状態で、一定時間の経過を検出し、サブウィンドウの操作をアクティブにする表示制御処理を示すフローチャートである。
【００３３】
図２において、処理を開始すると、ＣＰＵ７３は先ずステップＳ２１でタイマー７４を０に初期化（リセット）する。次にステップＳ２２でキーの押下をチェックし、キーの押下を検出した場合には、ステップＳ２４で押下されたキーに対応する処理を行い、処理を終了する。この場合、アクティブウィンドウはメインウィンドウのままである。ステップＳ２２でキーの押下を検出しなかった場合には、ステップＳ２３で所定の一定時間Ｔ１が経過したかタイマー７４の経過時間をチェックする。ステップＳ２３で所定時間Ｔ１が経過していない場合には、ステップＳ２２に戻る。ステップＳ２３で所定時間Ｔ１が経過した場合には、ステップＳ２５でサブウィンドウをアクティブにして、処理を終了する。
【００３４】
本実施例では、文字列１３がサブウィンドウ１２に対して上に位置しており、下キーの操作によりフォーカスが移動しているが、位置関係と操作キーは、例えば文字列１３がサブウィンドウ１２の左にある状態での右キー押下のように、他の組み合わせでも良い。また、文字列１３は、メインウィンドウ内のフォーカス可能なオブジェクトの一例であり、画像等、他のオブジェクトでも良い。
【００３５】
また、サブウィンドウ１２がアクティブとなるとポインタ１５が表示されるが、この時のポインタ１５の表示位置がサブウィンドウ１２の境界部分の場合、本発明による後述するサブウィンドウからメインウィンドウへのアクティブウィンドウの移行が行われる可能性があるため、ポインタ１５の初期位置として、図1（ｂ）のように、サブウィンドウ１２の中央など境界部分以外に表示するのが良い。
【００３６】
次に、アクティブウィンドウをサブウィンドウからメインウィンドウへ移行させる場合の表示制御処理について説明する。
【００３７】
図３は本発明によるサブウィンドウからメインウィンドウへのアクティブウィンドウの移行を示した表示制御方式の一例である。
【００３８】
最初は図３（ａ）のように、サブウィンドウ１２がアクティブウィンドウであり、ポインタ１５は、サブウィンドウ１２の上部境界に位置している。この場合、サブウィンドウの外方向へのキーは上キーである。この状態で、上キー押下を検出した場合、図３（ｂ）のようにメインウィンドウ１１のフォーカス１４は文字列１３をフォーカスし、アクティブウィンドウがサブウィンドウ１２からメインウィンドウ１１に移行する。
【００３９】
なお、本実施例において、ＣＰＵ７３はポインタ１５の位置する境界検出を以下のようにして実現する。
【００４０】
サブウィンドウ１２がアクティブである状態で、ＣＰＵ７３はメモリ７５にサブウィンドウの大きさ及び座標と、サブウィンドウのポインタ１５の座標を保持する。サブウィンドウの大きさ及び座標により得られるサブウィンドウの境界部分の任意の座標と、ポインタの座標が一致した場合、ＣＰＵ７３はポインタ１５がサブウィンドウ１２の境界部分にあるものと判断する。
【００４１】
図４は上記実施例において、ポインタがサブウィンドウの境界部分にある状態で、サブウィンドウの外方向へのキー操作を検出し、メインウィンドウの操作をアクティブにする表示制御処理を示すフローチャートである。
【００４２】
図４において、処理を開始すると、ステップＳ４１でキーの押下を検出しなかった場合には、ステップＳ４４でウェイトを入れ、ステップＳ４１に戻る。ステップＳ４１でキーの押下を検出した場合には、ステップＳ４２で押下されたキーがサブウィンドウの外方向へのキーかどうかを判定する。ステップＳ４２でサブウィンドウの外方向へのキーでない場合には、ステップＳ４５で押下されたキーに対応する処理を行い、処理を終了する。この場合、アクティブウィンドウはサブウィンドウのままである。ステップＳ４２で押下されたキーがサブウィンドウの外方向へのキーの場合には、ステップＳ４３でメインウィンドウをアクティブにして、押下された外方向への方向キーの方向でサブウィンドウ１２に近接したメインウィンドウ１１内のオブジェクト（本例では文字列１３）をフォーカスし、処理を終了する。
【００４３】
以上述べたように、本発明によれば、使用者は、メインウィンドウとサブウィンドウ間のアクティブウィンドウの移行を方向キーの操作のみで行うことが可能となるため、複雑な切り換え操作が不要となり、アクティブウィンドウを意識する必要も無くなる。
【実施例２】
【００４４】
第１の実施例では、アクティブウィンドウをサブウィンドウからメインウィンドウへ移行させる条件として、ポインタ１５がサブウィンドウ１２の境界に位置した状態で、サブウィンドウ１２の外方向への方向キー操作がなされたときとしたが、サブウィンドウ１２の外方向への方向キーの所定時間の押下（所謂押し続け）で移行させる第２の実施例について以下説明する。
【００４５】
図５は第２の実施例を示すフローチャートで、ポインタがサブウィンドウの境界部分にある状態で、サブウィンドウの外方向への一定時間のキー押下を検出し、メインウィンドウの操作をアクティブにする表示制御処理を示す。
【００４６】
図５において、処理を開始すると、ＣＰＵ７３は先ずステップＳ５１でタイマー７４を０に初期化（リセット）する。次にステップＳ５２でキーの押下をチェックし、キーの押下を検出しなかった場合には、ステップＳ５５でウェイトを入れ、ステップＳ５１に戻る。ステップＳ５２でキーの押下を検出した場合には、ステップＳ５３で押下されたキーがサブウィンドウの外方向へのキーかどうかを判定する。ステップＳ５３でサブウィンドウの外方向へのキーでない場合には、ステップＳ５６で押下されたキーに対応する処理を行い、処理を終了する。この場合、アクティブウィンドウはサブウィンドウのままである。ステップＳ５３でサブウィンドウの外方向へのキーの場合には、ステップＳ５４で所定の一定時間Ｔ２が経過したかタイマー７４の経過時間をチェックする。ステップＳ５４で所定時間Ｔ２が経過していない場合には、ステップＳ５２に戻る。ステップＳ５４で所定時間Ｔ２が経過した場合には、ステップＳ５７でメインウィンドウをアクティブにして、押下された外方向への方向キーの方向でサブウィンドウ１２に近接したメインウィンドウ１１内のオブジェクト（本例では文字列１３）をフォーカスし、処理を終了する。
【実施例３】
【００４７】
次に、アクティブウィンドウをサブウィンドウからメインウィンドウへ移行させる第３の実施例について以下説明する。
【００４８】
図６は第３の実施例を示すフローチャートで、ポインタがサブウィンドウの境界部分にある状態で、一定時間の経過を検出し、メインウィンドウの操作をアクティブにする表示制御処理を示す。
【００４９】
図６において、処理を開始すると、ＣＰＵ７３は先ずステップＳ６１でタイマー７４を０に初期化（リセット）する。次にステップＳ６２でキーの押下をチェックし、キーの押下を検出した場合には、ステップＳ６４で押下されたキーに対応する処理を行い、処理を終了する。この場合、アクティブウィンドウはサブウィンドウのままである。ステップＳ６２でキーの押下を検出しなかった場合には、ステップＳ６３で所定の一定時間Ｔ３が経過したかタイマー７４の経過時間をチェックする。ステップＳ６３で所定時間Ｔ３が経過していない場合には、ステップＳ６２に戻る。ステップＳ６３で所定時間Ｔ３が経過した場合には、ステップＳ６５でメインウィンドウをアクティブにして、ポインタ１５がある境界に近接したメインウィンドウ１１内のオブジェクト（本例では文字列１３）をフォーカスし、処理を終了する。
【００５０】
本実施例では、文字列１３がサブウィンドウ１２に対して上に位置しており、ポインタ１５がサブウィンドウ１２の上部境界に位置しているが、位置関係は、例えば文字列１３がサブウィンドウ１２の左にありポインタ１５がサブウィンドウ１２の左部境界にある場合のように、他の組み合わせでも良い。また、文字列１３は、メインウィンドウ内のフォーカス可能なオブジェクトの一例であり、画像等、他のオブジェクトでも良い。
【産業上の利用可能性】
【００５１】
本発明は、放送または通信により伝送される情報並びに、蓄積媒体に保存された情報を表示するＧＵＩとその装置に適用可能である。特に、リモコン操作によりＴＶ画面上に情報を表示するブラウザに対して有用である。
【図面の簡単な説明】
【００５２】
【図１】本発明によるメインウィンドウからサブウィンドウへのアクティブウィンドウの移行を示した表示制御方式の第１の一実施例。
【図２】本発明の実施例において、サブウィンドウがフォーカスされている状態で、一定時間の経過を検出し、サブウィンドウの操作をアクティブにする表示制御処理を示すフローチャート。
【図３】本発明によるサブウィンドウからメインウィンドウへのアクティブウィンドウの移行を示した表示制御方式の一例。
【図４】本発明の実施例において、ポインタがサブウィンドウの境界部分にある状態で、サブウィンドウの外方向へのキー操作を検出し、メインウィンドウの操作をアクティブにする表示制御処理を示すフローチャート。
【図５】第２の実施例を示すフローチャート。
【図６】第３の実施例を示すフローチャート。
【図７】本発明による、ＧＵＩ処理機能を有する表示装置の一ブロック構成図。
【図８】従来技術の説明図。
【符号の説明】
【００５３】
１１  メインウィンドウ、１２  サブウィンドウ、１３  文字列、１４  フォーカス、１５  ポインタ、７１  リモコン、７２  レシーバ、７３  ＣＰＵ、７４  タイマー、７５  メモリ、７６  表示回路、７７  ディスプレイ、１１０  メインウィンドウ、１２０  サブウィンドウ、１３０  文字列、１６０  文字列
【図１】
2005242731.tif 000003
【図２】
2005242731.tif 000004
【図３】
2005242731.tif 000005
【図４】
2005242731.tif 000006
【図５】
2005242731.tif 000007
【図６】
2005242731.tif 000008
【図７】
2005242731.tif 000009
【図８】
2005242731.tif 000010